(57)【要約】負荷を支持するための水圧力アクチュエータが提供されている。このアクチュエータは、ベースにより閉塞された下部端、前記ベースと上部端との間に結合された環状側壁を有するシリンダを含んでいる。ピストンは、前記シリンダ内に一部配置され、前記シリンダの上部端を通して伸張しているロッドを含み、ピストンヘッドは、前記ベースと共に水圧力室を形成している。このシリンダ内の水圧力室は前記ベースと前記ピストンヘッドとの間に配置され、前記ピストンの伸長及び収縮に符合して流体供給源及び流体排出先に連結される。支持部材は、前記シリンダ壁に連結され、前記ピストンが伸長された後に上昇させられてピストンロッドと負荷との間に設けられた傾きサドル部材を支持する。
2006519968.tif 000002
【特許請求の範囲】
【請求項１】
上部端及びベースにより閉塞された下部端を形成された環状壁を含むシリンダと、
ピストンヘッドと前記シリンダの前記上部端を通して前記ピストンヘッドから上方に伸長し上部端を有するピストンロッドとを含むピストンと、
前記ベースと前記ピストンヘッドとの間に配置され、前記ピストンの伸長及び収縮に呼応して流体供給源と流体排出先に選択的に連結されるように制御される水圧力室と、
前記ピストンの前記上部表面により支持され、負荷を支持する上部表面を有し、前記負荷に関する角度誤整列に応答して前記ピストンに関連して揺動する傾きサドルを備えた傾きサドル部材と、
前記シリンダに連結され、前記シリンダに関連して上動させられて前記ピストンが伸長されたときに前記傾きサドル部材に接触して支持する支持部材と、
を有する負荷を支持するためのアクチュエータ。
【請求項２】
前記支持部材は前記シリンダの側壁にねじで螺合された支持ナットであり、該支持ナットの回転により前記シリンダに相対して前記支持ナットを選択的に上昇及び降下する請求項１に記載のアクチュエータ。
【請求項３】
前記シリンダは前記ピストンヘッドと前記シリンダの上部端との間に配設された第２の水圧力室を含む複動シリンダである請求項１に記載のアクチュエータ。
【請求項４】
前記ピストンロッドとシリンダ上部端の境界線は密封されている請求項３に記載のアクチュエータ。
【請求項５】
前記支持部材は前記傾きサドルの下部表面に直接的に係合している請求項１に記載のアクチュエータ。
【請求項６】
前記傾きサドル部材は前記ピストンロッドの前記上部端により支持され且つ前記傾きサドルを支持する上部表面を有する傾きサドル板を含む請求項１に記載のアクチュエータ。
【請求項７】
前記支持部材は前記サドル板の前記下部表面に係合している請求項６に記載のアクチュエータ。
【請求項８】
前記流体は加圧された水である請求項１に記載のアクチュエータ。
【請求項９】
Ａ）シリンダと、該シリンダを通して伸長して負荷を支持するように動作する上部端とピストンヘッドを含む下部端とを有するピストンと、該ピストンの前記上部端により支持された下部表面及び前記負荷を支持するように構成された上部表面を有する傾きサドル部材、Ｂ）前記シリンダ及びピストンヘッドの間に配置された水圧力室、及びＣ）前記シリンダの外周の軸方向に配設された転位可能支持部材を有する形式のリニアアクチュエータを動作させる方法であって、次の各ステップ（Ａ）、（Ｂ）、（Ｃ）、（Ｄ）を含むアクチュエータの動作方法。
（Ａ）支持しようとする負荷の軸方向に整列させるように前記ピストンの前記上部端に載置する、
（Ｂ）前記水圧力室に加圧流体を導入して前記負荷を動かすように前記シリンダから前記ピストンを外方に伸長する、
（Ｃ）前記傾きサドル部材を上昇させて前記負荷に係合させる、
（Ｄ）前記支持部材を上昇させて前記傾きサドルを支持する。
【請求項１０】
前記支持部材が前記シリンダにねじにより螺合され、前記ステップ（Ｄ）に更に前記支持部材を回転させることを含む請求項９に記載のアクチュエータの動作方法。
【請求項１１】
前記ステップ（Ｄ）の後に、更に前記水圧力室の圧力を減じることを含む請求項９に記載のアクチュエータの動作方法。
【請求項１２】
前記上昇ステップにおいて、前記支持部材で前記傾きサドル部材の傾きサドルを直接的に支持することを更に含む請求項９に記載のアクチュエータの動作方法。
【請求項１３】
前記傾きサドル部材の傾きサドルが傾きサドル板を介して前記ピストンの前記上部端により支持され、前記ステップ（Ｄ）において前記サドル板を前記支持部材に係合させることを更に含む請求項９に記載のアクチュエータの動作方法。
【請求項１４】
前記シリンダが複動シリンダである請求項９に記載のアクチュエータの動作方法。
【発明の詳細な説明】
【技術分野】
【０００１】
本発明は、一般に、機械的リフトシステムに関し、詳しくは、水圧シリンダが伸長した位置にある時にその位置を固定すると共に、高度の水圧を維持する必要性を回避することができる装置及び方法に関する。
【背景技術】
【０００２】
図１Ａを参照するに、従来のリフトシステムは１つ以上の水圧アクチュエータ２０を有し、各々はベース３２によりその下端部を閉塞されると共にその上端部を上部壁４０により閉塞された環状側壁４１を含んでいる。シリンダ２２は上部壁４０に形成された孔４３を通して伸長する可動ピストン２６を収容している。ピストン２６は環状側壁４１の内面を摺動及び密閉してシリンダ２２のベース３２とピストンヘッド２８との間に配置される水圧力室３０を形成するピストンヘッド２８を含んでいる。
【０００３】
単動式のアクチュエータにおいて、高圧の流体が流体供給源（図示せず）に接続されたポート３４を介して水圧力室３０に分配される。水圧力はピストンヘッド２８の下面に作用してピストン２６を偏倚して保持されている負荷（図示せず）を上動させる。ピストン２６が収縮させられた時には水圧力室３０からポート３４を介して流体はタンク（流体排出先（図示せず））に戻される。
【発明の開示】
【発明が解決しようとする課題】
【０００４】
ピストン２６が規定時間を超えて伸長された位置に保持された場合には、流体供給源により分配される圧力が減衰の方向に向けられるか、または流体がリークして、負荷の重量がピストン２６を伸長位置から離隔するように作用し始める。しかしてピストン２６を支持する外部部材を設けることが望ましくなり、一旦ピストン２６が所望の伸長に達するとそれによって連続して水圧をシリンダ室である水圧力室３０に供給する必要が減少するかまたは除去される。
【０００５】
従って従来のシステムでは、ピストン２６の外部ねじ５０に螺合する内部ねじ４８を有する環状ロックナット４６を採用している。ねじ４８及び５０はロックナット４６の回転がロックナットをピストン２６に沿って上昇及び下降させるように変換するようなピッチを有している。従って、ピストン２６が伸長させられた際には、ロックナット４６はピストンに対して上動させられ、それによってロックナットの上部表面が負荷の下部表面に直接的に係合する。ピストン２６が次に降下させられる際には前記負荷が完全にロックナット４６に支持されたままの状態である。しかしながら、もし負荷とロックナット４６の上部表面との間に小さい角度誤整列が存在した場合には、その負荷の重量がロックナットの全上部表面に等分に分配されることはなくなる。むしろ、ロックナットの小さい部分、例えば縁に大きな重量が加えられた場合には、ロックナット４６の縁に沿った負荷の下部表面の支配を受け、強い力に関連した潜在的な損害を被りやすい可能性が生じる。
【０００６】
従って、図１Ｂを参照するに、従来のアクチュエータ２０はピストン２６の上部表面に形成された玉継手と係合する半球状下表面を有する傾きサドル４９が設けられている。アクチュエータ２０は更にその円筒状内空部に上部壁４０と傾きサドル４９との間に位置しているピストン２６の外表面に形成された対応するねじと螺合するねじが設けられたロックナット４６を含んでいる。従って、ロックナット４６はピストン２６に関してロックナットの回転によって上動及び下動することが可能となる。
【０００７】
動作の際には、ピストン２６が伸長させられた時には、ロックナット４６はシリンダ２２の上部壁４０に対して降下させられて、加圧液体が水圧力室３０からタンク即ち流体排出先へ返却される時でさえもピストン２６が収縮されることを阻止する妨害を与える。ピストン２６が収縮される際にはロックナット４６はピストン２６に沿って上方向に推進される。一旦ピストン２６が伸長されて負荷の下部表面に係合した際には傾きサドル４９が揺動して負荷とベース３２若しくはアクチュエータ２０が支持されている土台との間の小さい角度誤配列が補償される。
【０００８】
傾きサドル／ロックナットの組み合わせは、ねじ山つきピストンロッドがシリンダが退出する部分にあるパッキン押さえでシールを記録するのを防止するように、複動シリンダではなく単動シリンダを有するアクチュエータに用いるのに適している。複動シリンダはピストンの収縮力を強化するのに有効である。
【課題を解決するための手段】
【０００９】
本発明によれば、アクチュエータには負荷を支持する手段が設けられている。本発明に係るアクチュエータは、上部端とベースにより閉塞された下部端を決定する環状壁を有している。ピストンヘッド及び上部壁に形成された孔を通して前記ピストンヘッドから上方に伸長するピストンロッドを含むピストンが設けられている。シリンダ室（水圧力室）は、前記ベースとピストンロッドとの間に配置され、前記ピストンの伸長及び収縮に応動して流体供給源及び流体排出先に選択的に連結されるように配置されている。傾きサドル部材は前記ピストンの上部端により支持されている。傾きサドル部材は負荷を支持する上部表面を有している。前記傾きサドル部材は負荷についての角度誤整列に応答してピストンに対して揺動する傾きサドルを有している。支持部材がシリンダに連結されており、このシリンダはピストンが伸長した際にシリンダに対して上昇してその結果前記傾きサドル部材に接触してそれを支持する。
【００１０】
本発明の上記及びその他の目的、局面は、特許請求の範囲に開示されているが、それによって本発明の範囲を限定する意図は無いことは勿論である。添付図面を参照して説明されている下記の記述は本発明の一部を形成しており、本発明の好ましい実施例であってこれによって本発明の範囲を限定するものではない。かかる実施例はまた本発明の範囲を制限するものではなく、従って、本発明の目的に応じて、特許請求の範囲が作成され、参照されなければならない。
【発明を実施するための最良の形態】
【００１１】
図２Ａを参照するに、直線的水圧アクチュエータ５０は中心軸Ａ−Ａの方向に沿って垂直に伸長しているシリンダ５２を含んでいる。その他の方法として考慮すべきことは、このアクチュエータは、この分野における通常の知識を有する者、即ち当業者であれば明らかな如く、任意の適宜の金属により形成することができる。シリンダ５２は環状の側壁５４を含んでおり、この側壁は下端でベース５８により閉塞されると共に上端で上部端壁６０によって閉塞されている。円筒状孔６３は上部端壁６０を通して伸長している。
【００１２】
アクチュエータ５０の図示された方向づけに関しては本発明の記述を通して“垂直”及び“水平”という言語が用いられているものと認識される。しかしながら、本発明に係るアクチュエータ５０は図示された方向づけに限定されるものではなく、本発明に係る支持部材を用いるように与えられた適当な負荷を支持するのに任意の方向づけを想定することができる。従って、他に特別のものがなければ“垂直方向”という言語は“軸方向”と同意味に用いられ、かつ“水平方向”が本記述の目的に従って“放射方向若しくは半径方向”の言語と同義に用いられる。
【００１３】
ピストン６６は図２Ａの軸線Ａ−Ａに沿って伸びる円筒状ロッド６８を備えている。ロッド６８は、側壁５４よりも大きい高さを有しており、ロッド６８が孔６３を通してぴったりと滑動できるように孔６３の内径と実質的に等しい直径を有している。ロッド６８に孔６３に対して最小のクリアランスを設けることにより、ピストン６６を適切に案内することができる。代案として、この技術分野において周知の如く、例えばシリンダ５２が複動シリンダであれば、パッキン押さえ等（図示せず）をロッド６８と上端壁６０との間のインタフェースに設けることもできる。
【００１４】
ロッド６８は、環状側壁５４の内径と実質的に等しい外径を備えているピストンヘッド７０にその下部端で完全に結合されている。従って水圧力室７２はシリンダ５２のベース５８とピストンヘッド７０との間に同軸に配設されており、環状壁５４の内壁によって軸方向に規制されている。ピストンヘッド７０の周辺と側壁５４との間のインタフェースは水圧力室７２から水圧流体がリークしないように密封されている。入口／出口ポート７４はシリンダ壁５４の下部端５６を通して半径方向に延長しており、通常の方法で加圧された流体の供給源及びタンク（図示せず）に水圧力室７２を選択的に接続するバルブに接続されている。
【００１５】
動作の際には、加圧された水圧流体が流体供給源から水圧力室７２にポート７４を通して供給され、その時にピストン６６が伸長されて、図２Ｂに示される如く、負荷９２を支持する。ピストン６６が収縮された際にポート７４を介して加圧流体はタンク（流体排出先）に戻される。代案として、一対の専用ポートを経由して流体供給源及び流体排出先が水圧力室７２に永久に結合するように構成できることは明らかである。更にまた、アクチュエータ５０を加圧された水圧の代わりに、空気の如き気体圧で動作させることも可能である。ピストン６６の作動は単一の水圧力室７２を用いて制御されているので、本実施例のアクチュエータ５０は単動アクチュエータと呼ばれるものである。
【００１６】
更に図３を参照するに、アクチュエータ５０は更に負荷９２とベース５８、上部壁６０、若しくはその上にアクチュエータ５０が支持される土台との間の小さい角度誤整列を自動的に補償する傾きサドル８２を有する傾きサドル部材７１を含んでいる。傾きサドル８２はディスク形状であり、半球状の下部表面８４に完全に連結された実質上平坦な上部表面９０を有している。上部表面９０は動作中負荷９２の下部表面を支持しており、下部表面８４はロッド６８の上部表面に形成されたソケット８０に内接している。特に、ソケット８０はロッド６８の上部表面に内方に半球状に形成され、下部表面８４の外形に応じた外形を有している。上部表面９０はベース８４がソケット８０内で中心から変位した際に水平方向に伸長する。
【００１７】
傾きサドル８２は装着構体４７によってソケット８０に装着されている。特に図３を参照するに、さら穴５１が上部表面９０に形成されており、且つ表面８０及び８４に平行に伸長する半球状ベース５３を形成している。ベース５３はねじ５７の頭５５に対して台座を与えている。頭５５はさら穴５１の直径よりも小さい直径を有し、ベース５３の輪郭と係合する半球状に形成された下部表面を有している。頭５５からねじ切りされた軸５９が下方向に伸長しており、ロッド６８に伸びているねじ切りされた孔６１のねじと螺合させられる。円錐台形の空所６５がねじ付き頭５５の外縁から内側方向の位置でベース５３から外方向に下方向及び半径方向に伸長している。空所６５は代案としてシリンダの如き任意の形態を採ることができるし、傾きサドル８２をロッド６８について揺動せしめるのに十分なクリアランスを与えることができる。更に、ねじ５７をより強く支持するようにねじ頭５５とベース５３との間にワッシャ（図示せず）を配設することができる。支持力を高めるためにねじ頭５５の直下の位置における空所６５を比較的大きな半径に形成することができる。
【００１８】
再び図２Ａを参照するに、アクチュエータ５０は、更に負荷を支持するように傾きサドル８２の下部表面に係合して残っているアクチュエータ成分上の要素を減少させる支持ナット９４を含んでいる。支持ナット９４には内径が環状壁５４の外径にほぼ等しい垂直環状壁９６が設けられている。環状壁９６の内面９８にはねじが切設されており、そのねじがアクチュエータシリンダ５２の側壁５４の外表面に半径方向に形成されたねじ１００と螺合される。ねじ１００は支持ナット９４のシリンダ５２に関する回転が所望の動作中指示ナット９４を垂直方向に上昇若しくは下降するように変換する如きピッチを有している。環状壁９６はベース８４の曲率の半径にほぼ等しい曲率半径を有する上部表面１０２を有している。従って、指示ナット９４の上部表面１０２は、負荷９２を支持する際に傾きサドルの角度の方向付けに注意することなく、無関係に傾きサドル８２のベース８４に係合してそれを支持する外形を呈している。
【００１９】
図２Ａに示されている如く、アクチュエータ５０が収縮位置にある時には、ピストンヘッド７０の底部及び環状壁９６の底部は共にポート７４のわずか上に配置され、しかしてアクチュエータ５０の動作中加圧化された流体の流れを妨害することはない。
【００２０】
次に図２Ｂを参照するに、負荷９２を上昇させるように所望された場合には、アクチュエータ５０は上部表面９０が負荷９２の下部表面９１に従って軸方向に整列されるように負荷９２の直下に配置される。負荷９２は家、その他のビルディング、橋、若しくは他の構造物を含む。アクチュエータ５０は図示しようとする目的の為に単純化され構造で示されていることは明らかである。
【００２１】
一旦アクチュエータ５０が適切に位置づけられると、加圧された水圧流体１０４がポート７４を介して水圧力室７２に導入され、それによってピストンヘッド７０が上昇する力が与えられ、傾きサドル８２の上部壁９０が負荷９２の下部表面９１と係合させられる。加圧された流体が更に加圧力室７２に導入されると、ピストン６６を上動させる力が続き、負荷９２は所望の高さまで上昇させられる。アクチュエータ５０はポート７４と上部壁６０との間の垂直距離に等しい伸長（ストローク）許容範囲を有している。負荷９２にとってその負荷の下部表面９１が平ではなく、即ち水平ではない場合には、下部表面９１は傾きサドル８２の上部表面に係合する。負荷の下部表面９１は上部表面９０を偏倚（バイアス）して負荷９２に対して最大級の支持力を与える位置に配置する。傾きサドル８２はピストンロッド６８の半球状上部表面８０上で揺動して上部表面９０の方向性を調整する。最も多い例では、図示されている１つ以上のアクチュエータ５０は負荷９２を完全に支持するのに用いられている。
【００２２】
次に図２Ｃを参照するに、伸長されている時間の間所望の高さで付加９２を支持することがしばしば望まれる。しかして、環状壁９６は側壁５４の周囲を時計方向に回転させられて支持ナット９４を傾きサドル８２及び負荷９２に対して上昇せしめる。支持ナット９４は上部表面１０２まで上昇させられて傾きサドル８２のベース８４にしっかりと係合する。好都合なことに、支持ナット９４は負荷９２を完全に支持することができるので、加圧流体１０４をポート７４を介してタンク（流体排出先）に返送することができる。従って、供給ポンプ及び供給弁を避けることができ、その結果、エネルギーを保存できるばかりか、ポンプに必要な種々の要素を削減することが可能となる。代案として、水圧力室７２内にある量の加圧流体を保持しておくことは支持ナット９４による経験されたストレスを削減するのに望ましいことである。
【００２３】
負荷９２に対する支持力を除去するように望まれた時には、負荷９２を支持するに十分な支持力を独立して供給するのに必要なので加圧流体１０２が水圧力室７２に再導入される。次に環状壁９６が側壁５４の周囲を反時計方向に回転させられて支持ユニット９４を降下せしめ、支持ユニットが図２Ｂに見られる如く十分に収縮された位置になるまで、または少なくとも負荷９２の下降と干渉することのない程十分に収縮されるまで回転させられる。加圧流体１０２は次いでピストン６６が十分に収縮されるまでポート７４を介してタンク（流体排出先）に徐々に返還される。
【００２４】
次に図４を参照するに、アクチュエータ１５０は本発明による他の実施例に従って図示されている。明確さと便宜上の目的で図４に示された要素については、図２Ａ〜図２Ｃに示された実施例の要素と対応する同様の要素には参照番号に１００を加えて表示されていることは容易に認識される。
【００２５】
図４に示された実施例において、傾きサドル部材１７１は、上述されている如く傾きサドル１８２を含み、及び更にピストン１６６の上部表面１８０上に載置されている傾きサドル板１８３を含んでいる。サドル板１８３は一般に下方向に伸長している環状フランジ１９５を有する円筒状体１８７により形成され、中間下部表面１８９から半径方向、外方向に配列された外部下部表面１９３を分離している。フランジ１９５はピストン１６６の直径よりも若干大きい内径を有しており、中間下部表面１８９はピストン１６６の上部表面１８０に対して座席を与えており、その上部表面は本実施例においては平坦で半径方向（水平方向）に伸長している。外部表面１９３の半径方向の厚さは環状壁１９６のそれよりも若干大きく形成されている。従って、外部表面１９３がこれもまた本実施例において平坦で且つ水平方向に伸長している環状壁１９６の上部表面１０２に係合する。フランジ１９５はしかして環状壁１９６とピストン１６６の間で下方向に伸長している。
【００２６】
傾きサドル１８２は装着アセンブリ１４７を介してサドル板１８３の半球状上部表面１８５内に支持されており、装着アセンブリ１４７は図３に示される如く構成されている。動作中、サドル板１８３は、サドル１８２が負荷９２とベース若しくはアクチュエータ１５０が支持されている土台との間の小さい角度誤整列に適応させることができるような、例えば球状の接触面を滑動する如きサドル１８２の制限された動きを許容している。動作中において、ピストン１６６が一旦所望の伸長距離に到達した時に、環状壁１９６が時計方向に回転させられると支持ナット１９４をある位置に上昇せしめ、それによって環状壁１９６の上部表面２０２がサドル板１８３の下部表面１９３と係合する。好ましくは加圧流体２０４は次いで水圧力室１７２から除去される。負荷９２が降下される際には加圧された流体２０４が水圧力室１７２に供給され、支持ナット１９４は収縮位置に降下される。加圧流体２０４は次いで徐々に水圧力室１７２から除去され、ピストン１６６及び対応する負荷９２は降下させられる。
【００２７】
本発明はしかして、図２Ｃに示される如く、傾きサドルを直接的に支持する支持ナットが設けられており、更に代案として図４に示されている如くサドル板を介して間接的に傾きサドルを支持することもできる。
【００２８】
次に図５を参照するに、本発明は複動シリンダ２５２を有するアクチュエータ２５０と共動して実効のあるものとする傾きサドルを認識することができる。図５に示された要素には明確さと便宜上の目的で図４に示された実施例と同様な要素の参照番号に１００を加えた参照番号で示されていることは容易に理解される。
【００２９】
アクチュエータ２５０はピストンヘッド２７０と上部壁２６０の下部表面との間に配設された上部水圧力室３０６を含んでいる。第２のポート３０８が環状壁２５４に一部伸長しており、この第２のポートは環状壁２５４に垂直に伸長している内部チャネル３１０に連結されている。内部チャネル３１０は半径方向に伸長して上部水圧力室３０６に至るオリフィス（孔）３１２で終端している。ポート３０８はポート２７４の如き加圧流体の供給源と同じか若しくは異なった供給源に適宜のバルブを介して連結される。図５は複動シリンダの幾つかの可能な構成のほんの１つだけ示しているが、本発明は図示された実施例のみに限定する意図は無いことは勿論である。むしろ、本発明の範囲は本発明の原理に従って構成された支持ナットを有する任意の複動シリンダを含むものである。
【００３０】
動作している間、この技術分野において周知の如く、ピストン２６６が伸長されるか収縮される度毎に加圧流体３０４は選択的に水圧力室２７２及び３０６に導入されたり且つ各室から排出されたりする。ロッド２６８と孔２６３との間の境界面は、この技術分野において周知の如く、上部水圧力室３０６から加圧流体がリークするのを阻止するためにシールされる。好都合なことに、支持ナット２９４がピストン２６６に反抗する如くシリンダ壁２５４にねじにより螺合されているので、ロッド２６８の半径方向の周辺はねじに対して反抗する如くスムーズである。その結果、ロッド２６８と孔２６３との間の耐水性シールが従来の技術を用いて容易に達成される。
【００３１】
図５に示された実施例において、傾きサドル２８２が、図２Ｃに関連して説明されている方法で負荷９２を支持している。しかしながら、複動シリンダ２５２はここで示されたどの実施例、その他の任意の変形例によっても構成することができる。従って、支持ナット２９４は、図４を参照して前記で説明した形の支持板を介して間接的に傾きサドル２８２を支持することができる。本発明に従って構成される支持ナットは、与えられた負荷を支持して選択的に上昇及び下降する単動若しくは複動シリンダのシリンダ壁５４によって支持される支持部材の如く広範囲に構成されることを意図としている。
【００３２】
以上本発明は最も実質的で良好であると考慮される実施例について説明がなされている。しかるに、本発明は、図示された方法で表現されているが、図示された実施例によってのみ限定されるものではないことは勿論である。従って、当業者であれば、本発明の精神及び範囲及び特許請求の範囲から逸脱することなく多くの修飾、変形、代案的構成が想起されるが、それらは全て本発明の範囲内に包含されるものである。
【図面の簡単な説明】
【００３３】
【図１Ａ】従来技術によって構成された単動水圧力アクチュエータの側断面図である。
【図１Ｂ】従来技術によって構成された単動水圧力アクチュエータの側断面図である。
【図２Ａ】本発明の良好な実施例に従って構成された支持ナットを有する単動水圧力アクチュエータの側断面図であり、シリンダが収縮位置にある場合を示す。
【図２Ｂ】図２Ａに示された水圧力アクチュエータの側断面図であり、シリンダが伸長位置にあり、支持ナットが非係合位置にある場合を示す。
【図２Ｃ】図２Ｂと同様の水圧力アクチュエータの側断面図であり、支持ナットが係合位置にある場合を示す。
【図３】図２Ａ〜図２Ｃに示された傾きサドルの拡大側断面図である。
【図４】本発明による他の実施例に従って構成された水圧力アクチュエータの側断面図である。
【図５】本発明の更に他の実施例に従って構成された複動水圧力アクチュエータの側断面図である。
【符号の説明】
【００３４】
５０    アクチュエータ
５２    シリンダ
５４    環状側壁
５８    ベース
６６    ピストン
７０    ピストンヘッド
７２    水圧力室
７４    ポート
８２    傾きサドル
９２    負荷
９４    支持ナット
【図１Ａ】
2006519968.tif 000003
【図１Ｂ】
2006519968.tif 000004
【図２Ａ】
2006519968.tif 000005
【図２Ｂ】
2006519968.tif 000006
【図２Ｃ】
2006519968.tif 000007
【図３】
2006519968.tif 000008
【図４】
2006519968.tif 000009
【図５】
2006519968.tif 000010
【国際調査報告】
2006519968.tif 000011